(57)【要約】【課題】土中のコンクリート壁の防湿処理作業を確実且つ簡単に行うことができるようにする。【解決手段】土中に穴を掘り、土中に建物の半地下室用のコンクリート壁を構築するに際し、コンクリート用型枠（６）の枠板（６ａ）（６ｂ）間に、板状の断熱材（２２）（２８）の一方の面に防湿板（２０）（２６）が接着された防湿体（１０）を配置し、防湿板（２０）（２６）側に外側の枠板（６ａ）を密着させる。次に防湿体（１０）の断熱材（２２）（２８）側ととこれに対向する枠板（６ｂ）間にコンクリートを打設してコンクリート壁（１４）を構築し、しかる後に、型枠（６）を取り去り穴を埋める。【選択図】　図１
2004003121.tif 000002
【特許請求の範囲】
【請求項１】
土中に穴を掘り、土中に建物のコンクリート壁を構築するための工法であって、コンクリート用型枠（６）の枠板（６ａ）（６ｂ）間に、板状の断熱材（２２）（２８）の一方の面に防湿板（２０）（２６）が接着された防湿体（１０）を配置し、該防湿体（１０）とこれに対向する枠板（６ｂ）間にコンクリートを打設してコンクリート壁（１４）を構築するようにしたことを特徴とする土中コンクリート壁の防湿工法。
【請求項２】
土中に穴を掘り、土中に建物のコンクリート壁を構築するための工法であって、コンクリートの土台（１２）上に、板状の断熱材（２２）（２８）の一方の面に防湿板（２０）（２６）が接着された防湿体（１０）を配置し、該防湿板（２０）（２６）の下位屈折水平部（２０ｃ）（２６ｃ）をコンクリートの土台（１２）の所定位置に固定具（３６）によって固定し、該防湿体（１０）の防湿板（２０）（２６）側にコンクリート型枠（６）の外側の枠板（６ａ）を密着して配置し、該外側の枠板（６ａ）の上部を前記防湿板（２０）（２６）の上部に係合し、前記防湿体（１０）に所定間隔を存して前記コンクリートの土台（１２）上に枠板（６ｂ）を配置し、該枠板（６ｂ）を適宜な支持具で前記防湿体（１０）に対して平行に支承し、該防湿体（１０）とこれに対向する枠板（６ｂ）間にコンクリートを打設してコンクリート壁（１４）を構築するようにしたことを特徴とする土中コンクリート壁の防湿工法。
【請求項３】
前記防湿体（１０）は複数のパーツ（１０ａ）が互いに脱着可能に結合されて構成されていることを特徴とする「請求項１」又は「請求項２」に記載の土中コンクリート壁の防湿工法。
【請求項４】
前記防湿体（１０）は、その防湿板（２０）（２６）側がコンクリート用型枠（６）の外側の枠板（６ａ）の内壁面に密着して配置され、防湿板（２０）（２６）の反対側の断熱材（２２）（２８）の壁面と、これに対向する枠板（６ｂ）間にコンクリートが打設されるようにしたことを特徴とする「請求項１」乃至「請求項３」の中のいずれか１つに記載の土中コンクリート壁の防湿工法。
【請求項５】
前記防湿板（２０）（２６）が鉄板、プラスチック板などの湿気を通さない板材により構成されていることを特徴とする「請求項１」乃至「請求項４」の中のいずれか１つに記載の土中コンクリート壁の防湿工法。
【請求項６】
前記断熱材が発泡ポリスチレン、ポリエチレン、ポリウレタン等の発泡材により構成されていることを特徴とする「請求項１」又は「請求項２」に記載の土中コンクリート壁の防湿工法。
【請求項７】
土中に配置される建物のコンクリート壁（１４）の外側面に接着され、該コンクリート壁（１４）とで基礎壁体（３２）を構成するための防湿体であって、金属板あるいはプラスチックなどの湿気を通さない防湿板（２０）（２６）と、該防湿板（２０）（２６）に接着された発泡材あるいはグラウールから成る厚板状の断熱材（２２）（２８）とから成ることを特徴とするコンクリート壁用の防湿体。
【請求項８】
前記コンクリート壁用の防湿体は複数のパーツ（１０ａ）から構成され、各パーツ（１０ａ）の側部に係合部（２４）を設け、複数のパーツ（１０ａ）を前記係合部（２４）を介して結合し得るようにしたことを特徴とする「請求項７」に記載のコンクリート壁用の防湿体。
【請求項９】
前記防湿板（２０）（２６）に、コンクリートの土台（１２）に固定するための下位屈折水平部（２０ｃ）（２６ｃ）を設けたことを特徴とする「請求項７」又は「請求項８」に記載のコンクリート壁用の防湿体。
【請求項１０】
前記防湿板（２０）（２６）に、コンクリート型枠用の枠板（６ａ）を係止するための引掛部（２０ｂ’）（２６ｂ’）を設けたことを特徴とする「請求項７」乃至「請求項９」の中のいずれか１つに記載のコンクリート壁用の防湿体。
【発明の詳細な説明】
【０００１】
【発明の属する技術分野】
本発明は、土中コンクリート壁の防湿工法及びこの工法に使用される防湿体に関する。
【０００２】
【従来の技術】
特開平１０−１４７９４６号公報には、地下室の壁等の防水コンクリート壁を造る方法において、コンクリート壁の形成後もコンクリート壁に密着させたまま残される型枠のコンクリート壁に面している面に、そのコンクリート壁のコンクリートの打設に先だって防水層を設けた工法が開示されている。
【０００３】
【発明が解決しようとする課題】
地下室の壁等の防水コンクリート壁を造る場合、コンクリート壁の形成後も型枠を残す工法は、完全な地下室には用いることができるが、半地下室のように上部が土中から露出するコンクリート壁の構築の場合には、型枠をコンクリート壁の形成後も、コンクリート壁に密着させたまま残すことができず、この工法を利用できない。また、土中のコンクリート壁の防湿は、発泡材のコンクリート壁と接する面に防水材料を吹き付けあるいは塗りつける構造あるいは防水シートを貼り付ける構造では十分な効果が得られず、しかも防水層に十分な強度が得られず取り扱いが容易でないという問題点がある。
本発明は上記問題点を解決することを目的とするものである。
【０００４】
【課題を解決するための手段】
上記目的を達成するため、本発明は、土中に穴を掘り、土中に建物のコンクリート壁を構築するための工法であって、コンクリート用型枠（６）の枠板（６ａ）（６ｂ）間に、板状の断熱材（２２）（２８）の一方の面に防湿板（２０）（２６）が接着された防湿体（１０）を配置し、該防湿体（１０）とこれに対向する枠板（６ｂ）間にコンクリートを打設してコンクリート壁（１４）を構築するようにしたものである。
また本発明は、土中に穴を掘り、土中に建物のコンクリート壁を構築するための工法であって、コンクリートの土台（１２）上に、板状の断熱材（２２）（２８）の一方の面に防湿板（２０）（２６）が接着された防湿体（１０）を配置し、該防湿板（２０）（２６）の下位屈折水平部（２０ｃ）（２６ｃ）をコンクリートの土台（１２）の所定位置に固定具（３６）によって固定し、該防湿体（１０）の防湿板（２０）（２６）側にコンクリート型枠（６）の外側の枠板（６ａ）を密着して配置し、該外側の枠板（６ａ）の上部を前記防湿板（２０）（２６）の上部に係合し、前記防湿体（１０）に所定間隔を存して前記コンクリートの土台（１２）上に枠板（６ｂ）を配置し、該枠板（６ｂ）を適宜な支持具で前記防湿体（１０）に対して平行に支承し、該防湿体（１０）とこれに対向する枠板（６ｂ）間にコンクリートを打設してコンクリート壁（１４）を構築するようにしたものである。
また本発明は、前記防湿体（１０）は複数のパーツ（１０ａ）が互いに脱着可能に結合されて構成されていることを特徴とする。
また本発明は、前記防湿体（１０）は、その防湿板（２０）（２６）側がコンクリート用型枠（６）の外側の枠板（６ａ）の内壁面に密着して配置され、防湿板（２０）（２６）の反対側の断熱材（２２）（２８）の壁面と、これに対向する枠板（６ｂ）間にコンクリートが打設されるようにしたものである。
また本発明は、前記防湿板（２０）（２６）が鉄板、プラスチック板などの湿気を通さない板材により構成されていることを特徴とする。
また本発明は、前記断熱材が発泡ポリスチレン、ポリエチレン、ポリウレタン等の発泡材により構成されていることを特徴とする。
また本発明は、土中に配置される建物のコンクリート壁（１４）の外側面に接着され、該コンクリート壁（１４）とで基礎壁体（３２）を構成するための防湿体であって、金属板あるいはプラスチックなどの湿気を通さない防湿板（２０）（２６）と、該防湿板（２０）（２６）に接着された発泡材あるいはグラウールから成る厚板状の断熱材（２２）（２８）とから成るものである。
また本発明は、前記コンクリート壁用の防湿体は複数のパーツ（１０ａ）から構成され、各パーツ（１０ａ）の側部に係合部（２４）を設け、複数のパーツ（１０ａ）を前記係合部（２４）を介して結合し得るようにしたものである。
また本発明は、前記防湿板（２０）（２６）に、コンクリートの土台（１２）に固定するための下位屈折水平部（２０ｃ）（２６ｃ）を設けたものである。
また本発明は、前記防湿板（２０）（２６）に、コンクリート型枠用の枠板（６ａ）を係止するための引掛部（２０ｂ’）（２６ｂ’）を設けたものである。
【０００５】
【発明の実施の形態】
以下に本発明の実施の形態を添付した図面を参照して詳細に説明する。
図１において、２は、土、４は、土に掘られた約１．２メートルの深さの穴、６は、ベニア板などの枠板６ａ，６ｂから成るコンクリート用型枠、８は、型枠６の間隔を保持するためのセパレータ軸、１０は、防湿体、１２は、コンクリートから成る土台、１４は、型枠６内に打設されたコンクリートから成るコンクリート壁であり、これに防湿体１０が固着されている。
【０００６】
前記防湿体１０は、複数のパーツ１０ａから構成され、該パーツ１０ａは、直線配置用の本体部材１６と、コーナー配置用のコーナー部材１８の２種類が用意されている。各パーツ１０ａは、互いに側部どうしが脱着自在に結合できるように構成され、全体として任意の四角形状に結合し得るように構成されている。防湿体１０のパーツ１０ａを構成する本体部材１６は、図３に示すように、金属またはプラスチックなどの板から成る防湿板２０と、発泡ポリスチレン、ポリエチレン、ポリウレタン等の発泡材やグラスウールなどからなる断熱材２２により構成され、四角形の厚板状の断熱材２２の一方の長方形状の面に防湿板２０の長方形状の外囲部２０が接着されている。
【０００７】
防湿板２０の上部には、主外囲部２０ａに対して直角な上部屈折水平部２０ｂが形成され、下部には主外囲部２０ａに対して直角な下部屈折水平部２０ｃが形成されている。防湿板２０の両側部には、隣接する他の防湿体１０の他側部に係合結合するための係合部２４が屈折形成されている。係合部２４の形状は２種類あり、図５ＡにはＩ状の係合部２４が図示され、図５ＢにはＵ字状に屈折された係合部２４が図示されている。
【０００８】
本体部材１６は、その防湿板２０の一側部にＩ状の係合部２４が形成され、他側部にＵ字状の係合部２４が形成されたものと、両側にＵ字状の係合部２４が形成されたものが用意されている。本体部材１６はその係合部２４を、隣接する本体部材１６の係合部２４と係合することにより、複数の本体部材１６を一列直線状に結合することができるように構成されている。コーナー部材１８は、図４に示すように、金属又はプラスチックなどの板から成る防湿板２６と、発泡ポリスチレン、ポリエチレン、ポリウレタン等の発泡材やグラスウールなどからなる断熱材２８により構成されている。
【０００９】
防湿板２６の主外囲部２６ａは、２つの長方形部がＬ状に直交し、このＬ型に対応して、断熱材２８がＬ型状に接着されている。主外囲部２６ａの上部には、Ｌ字状に屈折する上部屈折水平部２６ｂが形成され、下部には、Ｌ字状に屈折する下部屈折水平部２６ｂが形成されている。主外囲部２６ａの両側部には、隣接する主外囲部２６ａに対して直角なＩ状の係合部２４，２４が屈折形成されている。コーナー部材１８の一側部に、本体部材１６の他側部のＵ字状係合部２４を係合し、コーナー部材１８の他側部に、両側部にＵ字状の係合部２４を備えた本体部材１６の一側部の係合部２４を係合し、複数の本体部材１６と、複数のコーナー部材１８とを結合することで所望の四角形の輪郭に結合できるように構成されている。
【００１０】
次に図６に示すように、半地下の三階建ての建物３０の基礎部分を構築する工法について説明する。
まず、土２に約１．２ｍの深さの穴を掘り、穴４の底部にコンクリートを打って平坦な土台１２を形成する。次に、枠板６ａ，９ｂを、セパレータ軸８、ホームタイ、バタ材締め付けナットその他の型枠構築材（図示省略）を用いて、四角形に沿った型枠６を組む。このとき、対向する枠板６ａ，６ｂ間に、その外側の枠板６ａに防湿板１０，２６を密着させて、防湿体１０を配置する。防湿体１０のパーツ１０ａを結合するとき、図５に示すように、結合部に円柱状のガスケット３４を圧入し、結合部の隙間にコーキング材（図示省略）充填する。
【００１１】
これにより、防水・防湿効果を一段と向上させることができる。次に、型枠６にコンクリートを打設し、土台から約１．５ｍの高さの、上部が地面から一部露出する、コンクリート壁１４とこれの外壁面に接着された防湿体１０とから成る、基礎壁体３２を形成する。この基礎壁体３０は、コンクリート壁１４の上面と下面が屈折水平部２０ｂ，２０ｃ，２６ｂ，２６ｃによって部分的に被覆される。次に、基礎壁体から型枠６、バタ材等を取り去り、穴４を土砂で埋める。また、防湿板２０，２６のホームタイを取り去ったあとの穴をコーキング材やパテ材等で埋める。基礎壁体３０の上に三階建ての建物３０を構築し、基礎壁体３２を、建物３０の一階の半地下室の外壁として使用する。
【００１２】
尚、上記実施形態では、枠板６ａ，６ｂ間の間隔をセパレータ軸等により保持したが、図７及び図８に示すように、防湿板２０，２６の上部に引掛部２０ｂ’，２６ｂ’を設け、これに枠板６ａの上部を引っ掛けるようにしても良い。この実施形態では、防湿板２０，２６の下位屈折水平部２０ｃ，２６ｃを図８に示すように、コンクリートの土台１２にアンカーなどの固定具３６によって固定する。このようにして土台１２上に立設した防湿体１０の上部の引掛部２０ｂ’，２６ｂ’に枠板（６ａ）を防湿体１０に対して平行に係止する。枠板６ａに対向する内側の枠板６ｂは、その背面を単管などの適宜な支持具（図示省略）により支承し、枠板６ａに平行に配置する。この状態において、枠板６ａ，６ｂから成る型枠６にコンクリートを打設し、コンクリート壁１４を構築する。この実施形態では、防湿体１０の防湿板２０，２６にホームタイ用の穴を穿設する必要がない。
【００１３】
【発明の効果】
本発明は上述の如く構成したので、コンクリート用型枠内に防湿体を配置することで簡単に土中のコンクリート壁の防湿化を図ることができ、しかも、土と接する側に板状の防湿板を配置したので、断熱材への湿気の浸入を確実に防ぎ、断熱効果を高めることができるとともにコンクリート壁への湿気の浸入を防止することができる。また、防湿体として防湿板と断熱材を接着組み合わせたので、強度が高く取り扱いが容易であり、効率的なコンクリート壁の防水・防湿処理作業が可能となる。
【図面の簡単な説明】
【図１】本発明の断面説明図である。
【図２】防湿体の外観図である。
【図３】防湿体のパーツの外観図である。
【図４】防湿体のパーツの外観図である。
【図５】（Ａ）は図２のＡ部分の拡大断面図、（Ｂ）は図２のＢ部分の拡大断面図である。
【図６】本発明の説明図である。
【図７】本発明の他の実施形態を示す外観図である。
【図８】本発明の他の実施形態を示す断面図である。
【符号の説明】
２　　　土
４　　　穴
６　　　コンクリート用型枠
８　　　セパレータ軸
１０　　防湿体
１２　　土台
１４　　コンクリート壁
１６　　本体部材
１８　　コーナー部材
２０　　防湿板
２２　　断熱材
２４　　係合部
２６　　防湿板
２８　　断熱材
３０　　建物
３２　　基礎壁体
３４　　ガスケット
３６　　固定具
【図１】
2004003121.tif 000003
【図２】
2004003121.tif 000004
【図３】
2004003121.tif 000005
【図４】
2004003121.tif 000006
【図５】
2004003121.tif 000007
【図６】
2004003121.tif 000008
【図７】
2004003121.tif 000009
【図８】
2004003121.tif 000010